(57)【特許請求の範囲】
【請求項１】
シートの搬送方向上流側に設けられた上流側搬送ローラ及び前記シートの搬送方向下流側に設けられた下流側搬送ローラを駆動モータにより回転させて前記シートを搬送するシート搬送装置において，
前記上流側搬送ローラと一体となった上流側搬送ローラ軸又は前記下流側搬送ローラと一体となった下流側搬送ローラ軸と同軸上に取り付けられ，前記駆動モータが停止している状態で回転させることで，前記上流側搬送ローラ軸又は前記下流側搬送ローラ軸を回転させる手動操作手段と,
前記手動操作手段を，前記手動操作手段が取り付けられた前記上流側搬送ローラ軸上又は前記下流側搬送ローラ軸上で軸方向にスライドさせるスライド機構と，
出力画像が形成される像担持体又は該像担持体から前記出力画像が転写される被転写体に対して，前記像担持体に形成された前記出力画像又は前記被転写体に転写された前記出力画像を前記シートに転写させる転写手段を接離させる接離手段
を具備し，
前記スライド機構が，前記接離手段が前記転写手段を前記像担持体又は前記被転写体から離間させた際に，前記手動操作手段を，前記軸方向且つ前記上流側搬送ローラ又は下流側搬送ローラから遠ざかる方向にスライドさせてなるシート搬送装置。
【請求項２】
前記スライド機構が，
前記手動操作手段を，前記手動操作手段が取り付けられた前記上流側搬送ローラ軸上又は前記下流側搬送ローラ軸上で軸方向にスライドさせることによって，前記手動操作手段の回転を，前記手動操作手段が取り付けられていない前記下流側搬送ローラ軸又は前記上流側搬送ローラ軸に伝達するか否かを切り換えてなる請求項１に記載のシート搬送装置。
【請求項３】
前記手動操作手段を，前記手動操作手段の平面視における前記搬送方向上流側方向に回転させた際に，その回転を前記下流側搬送ローラ軸のみに伝達して，前記下流側搬送ローラ軸のみを前記下流側搬送ローラ軸の平面視における前記搬送方向上流側方向に回転させる逆回転機構を具備してなる請求項１または請求項２に記載のシート搬送装置。
【請求項４】
前記手動操作手段と，前記手動操作手段が取り付けられた前記上流側搬送ローラ軸又は前記下流側搬送ローラ軸との間には，前記手動操作手段の，前記手動操作手段の平面視における前記搬送方向下流側方向への回転のみを伝達するワンウェイクラッチが介在されてなる請求項１〜３のいずれかに記載のシート搬送装置。
【発明の詳細な説明】
【技術分野】
【０００１】
本発明は，シート搬送装置に関し，ジャム処理機構を簡易な構成で実現でき，これにより，省スペース化を図ることができるシート搬送装置に関するものである。
【背景技術】
【０００２】
従来より，プリンタや複写機，ファクシミリ装置，これらの複合機などの電子写真方式の画像形成装置は，記録紙カセット或いは手差しトレイから画像形成部に至る部分や，原稿を読み取って画像データを生成する画像読取系等，原稿や記録紙を搬送するためのシート搬送装置を具備している。
このようなシート搬送装置は，特に大型の画像形成装置にあっては，上流側と下流側とに，上流側搬送ローラ（例えば図１に示す搬送ローラ対１８）及び下流側搬送ローラ（例えば図１に示すレジストローラ対１９）を備え，これら上流側搬送ローラ及び下流側搬送ローラを，各々に対応して備えられた駆動モータで回転させている。
下記特許文献１では，この種のシート搬送装置が提案されており上流側搬送ローラ及び下流側搬送ローラのそれぞれに対応した駆動モータ，前記上流側搬送ローラと一体となったローラ軸に取り付けられた上流側回転伝達系，前記下流側搬送ローラと一体となったローラ軸に取り付けられた下流側回転伝達系，をそれぞれ備えている。
この種のシート搬送装置は，該シート搬送装置を組み込んだ画像形成装置における画像形成処理等の際には，前記上流側回転伝達系及び前記下流側回転伝達系が前記駆動モータの回転を前記上流側搬送ローラ軸及び前記下流側搬送ローラ軸に伝達する。
これにより，前記上流側搬送ローラ及び前記下流側搬送ローラが回転して，前記シートを前記下流側に搬送する。
また，前記シート搬送装置は，搬送されるシートが詰まった際（つまりジャムが生じた際）に，前記駆動モータが停止している状態で，ジャムが生じたシートを除去するため，手動操作手段を備えたジャム処理用回転伝達系が具備されている。
このようなジャム処理用回転伝達系は，前記上流側回転伝達系と前記下流側回転伝達系との間に連結されており，前記手動操作手段を回転させてその回転を前記上流側回転伝達系と前記下流側回転伝達系とに伝達して，前記上流側搬送ローラ及び前記下流側搬送ローラを回転させて，該シートの搬送方向下流側先端部を所定位置まで搬送する。
【特許文献１】特許第３２０７５０４号公報
【発明の開示】
【発明が解決しようとする課題】
【０００３】
しかしながら，この種のシート搬送装置では，前記手動操作手段が，前記上流側回転伝達系と前記下流側回転伝達系とに挟まれた空間内に存在している。
そのため，前記手動操作手段の回転を前記上流側回転伝達系及び前記下流側回転伝達系に伝達する機構が必要となり，前記ジャム処理用の回転伝達系の構成が複雑となり，更に設置スペースが大きくなる。
【０００４】
従って，本発明は上記事情に鑑みてなされたものであり，その目的とするところは，ジャム処理機構を簡易な構成で実現でき，これにより，サイズの小型化を図ることができるシート搬送装置を提供することにある。
【課題を解決するための手段】
【０００５】
上記目的を達成するために本発明は，
シートの搬送方向上流側に設けられた上流側搬送ローラ及び前記シートの搬送方向下流側に設けられた下流側搬送ローラを駆動モータにより回転させて前記シートを搬送するシート搬送装置において，
前記上流側搬送ローラと一体となった上流側搬送ローラ軸又は前記下流側搬送ローラと一体となった下流側搬送ローラ軸と同軸上に取り付けられ，前記駆動モータが停止している状態で回転させることで，前記上流側搬送ローラ軸又は前記下流側搬送ローラ軸を回転させる手動操作手段を具備してなるシート搬送装置に係る発明である。
前記シート搬送装置においては，前記駆動モータが停止した状態で前記手動操作手段により，前記手動操作手段と同軸上の前記上流側搬送ローラ軸又は前記下流側搬送ローラ軸が回転して，前記上流側搬送ローラ又は前記下流側搬送ローラを回転させるので，簡易な構成で前記ジャム処理機構が構成でき，そのために，前記シート搬送装置の小型化を図ることができる。
【０００６】
また，本発明におけるシート搬送装置が，
前記手動操作手段を，前記手動操作手段が取り付けられた前記上流側搬送ローラ軸上又は前記下流側搬送ローラ軸上で軸方向にスライドさせるスライド機構を具備してなることが考えられる。
【０００７】
そして，前記スライド機構が，
前記手動操作手段を，前記手動操作手段が取り付けられた前記上流側搬送ローラ軸上又は前記下流側搬送ローラ軸上で軸方向にスライドさせることによって，前記手動操作手段の回転を，前記手動操作手段が取り付けられていない前記下流側搬送ローラ軸又は前記上流側搬送ローラ軸に伝達するか否かを切り換えてなることが考えられる。
シートのジャム状態によっては，前記上流側搬送ローラ及び前記下流側搬送ローラを回転させなければ，ジャムを解除できない場合があるからである。
【０００８】
また，本発明は，
出力画像が形成される像担持体又は該像担持体から前記出力画像が転写される被転写体に対して，前記像担持体に形成された前記出力画像又は前記被転写体に転写された前記出力画像を前記シートに転写させる転写手段を接離させる接離手段を具備しており，
前記スライド機構が，前記接離手段が前記転写手段を前記像担持体又は前記被転写体から離間させた際に，前記手動操作手段を，前記軸方向且つ前記上流側搬送ローラ又は前記下流側搬送ローラから遠ざかる方向にスライドさせることも考えられる。
本発明において，前記接離手段と前記スライド機構とが連動した動作を行うことで，前記像担持体又は前記被転写体から前記転写手段を離間させたときのみ，前記手動操作手段が操作可能になる。そのため，ジャムが生じたシートを，前記操作ノブを操作して搬送する際に，該シートの先端部が前記像担持体又は前記被転写体と前記転写手段との当接部分（転写ニップ部分）に当たることを防止でき，そのため，前記像担持体，前記被転写体の損傷を防止できる。
また，前記像担持体又は前記被転写体から前記転写手段を離間させていないときには前記手動操作手段が，前記軸方向且つ前記上流側搬送ローラ又は前記下流側搬送ローラに近づくスライドされた位置にあるので，通常のシート搬送の際における前記シート搬送装置の奥行き方向の大きさをコンパクトにできる。
【０００９】
また，本発明は，
前記手動操作手段を，前記手動操作手段の平面視における前記搬送方向上流側方向に回転させた際に，その回転を前記下流側搬送ローラの下流側搬送ローラ軸のみに伝達して，前記下流側搬送ローラの下流側搬送ローラ軸のみを前記下流側搬送ローラの下流側搬送ローラ軸の平面視における前記搬送方向上流側方向に回転させる逆回転機構を具備することも考えられる。
シートのジャム状況によっては，該シートを前記搬送方向下流側に搬送するだけでは，ジャムが生じたシートを除去できない場合があるからである。
更に，本発明は，
前記手動操作手段と，前記手動操作手段が取り付けられた前記上流側搬送ローラ軸又は前記下流側搬送ローラ軸との間には，前記手動操作手段の，前記手動操作手段の平面視における前記搬送方向下流側方向への回転のみを伝達するワンウェイクラッチが介在されてなることが考えられる。
前記通常のシート搬送の際に前記駆動モータにより前記上流側搬送ローラ及び前記下流側搬送ローラが前記搬送方向下流側方向へ回転してもその回転を前記手動操作手段に伝達させないためである。
【発明の効果】
【００１０】
本発明によれば，前記駆動モータが停止した状態で前記手動操作手段により前記手動操作手段と同軸上の前記上流側搬送ローラ軸又は前記下流側搬送ローラ軸が回転して，前記上流側搬送ローラ又は前記下流側搬送ローラを回転させるので，簡易な構成で前記ジャム処理機構が構成でき，そのために，前記シート搬送装置の小型化を図ることができる。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係るシート搬送装置Ｘ１を含んだ画像形成部Ｘの主要部を示す断面図，図２は第１の実施形態に係るシート搬送装置Ｘ１−１の概略平面図と概略側面図，図３は第２の実施形態に係るシート搬送装置Ｘ１−２の概略平面図と概略側面図，図４は転写ベルト回転ローラ１７の周辺部材を含んだ第３の実施形態に係るシート搬送装置Ｘ１−３の概略平面図と概略側面図をそれぞれ示している。
【００１２】
まず，図１を参照しつつ，本発明の実施形態に係るシート搬送装置Ｘ１を含んだ画像形成部Ｘの構成について説明する。
図１に示す画像形成部Ｘは，プリンタや複写機，ファクシミリ装置，これらの複合機などの電子写真方式の画像形成装置に具備されている。
図１に示すように，画像形成部Ｘは，その表面にトナー像を担持する感光ドラム１０（像担持体の一例），その感光ドラム１０の表面を一様に帯電させる帯電部１１，前記感光ドラム１０表面にレーザ光を照射させ，その照射光によって露光することにより静電潜像を書き込む露光部１２，その静電潜像にトナー剤（現像剤の一例）を供給することによりトナー像として現像する現像部１３，現像部１３により現像されたトナー像の濃度を検出する濃度検出部１４，感光ドラム１０表面に現像されたトナー像を除去するクリーニング部１５，転写ベルト回転ローラ１７，１７（転写手段の一例）に懸け渡され，これらの転写ベルト回転ローラ１７，１７により回転駆動されて，シート搬送装置Ｘ１から搬送された記録紙（シートの一例）を搬送して，感光ドラム１０表面に形成されたトナー像を転写させる転写ベルト１６（被転写体の一例）を備えて概略構成される。
なお，本実施形態に係るシート搬送装置Ｘ１は，図示しない記録紙カセット或いは手差しトレイから前記画像形成部Ｘに至る部分に設けられた記録紙搬送系として機能する。
しかしながら，このようなシート搬送装置Ｘ１は，前記記録紙搬送系としてのみではなく，原稿（シートの一例）を読み取って画像データを生成する画像読取系，該画像読取系により原稿両面を読み取って画像データを生成するために，前記画像読取系により表面を読み取った原稿を反転させて再度画像読取系に搬送するための原稿反転系，前記画像形成部Ｘにより表面を現像した記録紙（シートの一例）を反転させて再度前記画像形成部Ｘに搬送するための記録紙反転系など，前記原稿や前記記録紙を搬送するための種々のシート搬送系に適用可能である。
【００１３】
この実施形態におけるシート搬送装置Ｘ１は，図示しない記録紙カセットや手差しトレイから搬送された記録紙が，駆動モータＭ１の回転伝達を受けて回転する駆動ローラ１８ａとそれに接して回転する従動ローラ１８ｂとから成る搬送ローラ対１８（本発明における上流側搬送ローラの一例）に搬送された後，更に該搬送ローラ対１８により搬送されて，上下に対向配置されたテーパー状通路を構成する搬送ガイド２０を通過する。その後，前記記録紙は，駆動モータＭ２の回転伝達を受けて回転する駆動ローラ１９ａとそれに接して回転する従動ローラ１９ｂとから成るレジストローラ対１９（本発明における下流側搬送ローラの一例）に送り込まれる。
ここに，前記搬送ガイド２０は，上搬送ガイド２０ａと下搬送ガイド２０ｂとが前記記録紙の搬送方向に対してテーパー状に設けられてテーパー状通路を構成しており，前記上搬送ガイド２０ａと前記下搬送ガイド２０ｂとで，前記記録紙の撓みを補正しながら前記搬送ローラ対１８により搬送された前記記録紙をレジストローラ対１９へ導く。
更に，前記レジストローラ対１９は，前記搬送ガイド２０を通じて送り込まれた前記記録紙を，前記感光ドラム１０表面上にトナー像が現像されるのに同期して前記感光ドラム１０表面と前記転写ベルト１６との当接部分（転写ニップ部分）に搬送する。
【００１４】
以下，本実施形態のシート搬送装置Ｘ１の具体例について，第１の実施形態におけるシート搬送装置Ｘ１−１，第２の実施形態におけるシート搬送装置Ｘ１−２，第３の実施形態におけるシート搬送装置Ｘ１−３と分けて詳述する。尚，以下，第１の実施形態から第３の実施形態の説明中用いる用語「上流側」とは前記シートの搬送方向上流側のことを意味し，用語「下流側」とは前記シートの搬送方向下流側のことを意味している。
［第１の実施形態］
まず，シート搬送装置Ｘ１−１を図２に基づいて説明する。ここに，図２（ａ）はシート搬送装置Ｘの従動ローラ１８ｂ，１９ｂを省略した概略平面図，図２（ｂ）は図２（ａ）における操作ノブ２８（本発明における手動操作手段の一例）を省略したシート搬送装置Ｘ１−１の概略側面図である。
前記シート搬送装置Ｘ１−１では，前記駆動ローラ１８ａと一体となった上流側駆動ローラ軸（本発明における上流側搬送ローラ軸の一例）１８ａ１が，図示しない基台と一体の側板２７に設けられた軸支持部２７ａ１に，図示しない軸受を介して回転自在に装着されている。
また，前記上流側駆動ローラ軸１８ａ１には，その同軸上に，ワンウェイクラッチ２２を介して，プーリー２４と一体となった操作ノブ２８が取り付けられている。なお，該操作ノブ２８は，下流側駆動ローラ軸１９ａ１（本発明における下流側搬送ローラ軸の一例）の同軸上に取り付けられることも考えられる。
一方，前記シート搬送装置Ｘ１−１では，前記下流側駆動ローラ軸１９ａ１が，前記側板２７に設けられた軸支持部２７ａ２に，図示しない軸受を介して回転自在に装着されている。
また，前記下流側駆動ローラ軸１９ａ１には，その同軸上に，ワンウェイクラッチ２３を介してプーリー２５が取り付けられている。
そして，前記プーリー２４と前記プーリー２５とにプーリーベルト２６が懸け渡されている。
【００１５】
前記シート搬送装置Ｘ１−１では，前記駆動モータＭ１，Ｍ２の停止中（即ち，別個クラッチ等によって駆動モータＭ１，Ｍ２と前記搬送ローラ対１８及び前記レジストローラ対１９との連結が断たれ，前記搬送ローラ対１８及び前記レジストローラ対１９が自由に回転し得る時）に，前記操作ノブ２８を回転させることによって，プーリーベルト２６によって連結された前記プーリー２４（前記操作ノブ２８と一体となったプーリー），２５の双方を，前記シートの搬送方向下流方向（図２では反時計回り方向）に回転させた際に，前記ワンウェイクラッチ２２，２３が，前記プーリー２４，２５の前記搬送方向下流方向への回転のみを前記上流側駆動ローラ軸１８ａ１及び前記下流側駆動ローラ軸１９ａ１に伝達して，前記搬送ローラ対１８及び前記レジストローラ対１９を前記搬送方向下流方向に回転させるよう構成されている。
但し，前記ワンウェイクラッチ２２，２３は，画像形成時に，前記搬送ローラ対１８及びレジストローラ対１９の前記搬送方向下流方向への回転が，前記操作ノブ２８に伝達されないようにするために，前記プーリー２４，２５を，前記シートの搬送方向上流方向(図２では時計回り方向)に逆回転させた際には，その回転が前記上流側駆動ローラ軸１８ａ１及び前記下流側駆動ローラ軸１９ａ１に伝達せずに前記プーリー２４，２５が空転するように，一方向への回転のみを伝達するように構成されている。
【００１６】
即ち，シート搬送装置Ｘ１−１では，前記駆動モータＭ１の駆動により，前記上流側駆動ローラ軸１８ａ１が回転するとともに，前記駆動モータＭ２の駆動により前記下流側駆動ローラ軸１９ａ１が回転してシートを搬送する際には，前記プーリー２４，２５は，前記ワンウェイクラッチ２２，２３が介在されているので，前記上流側駆動ローラ軸１８ａ１及び前記下流側駆動ローラ軸１９ａ１を基準として空転する。これによって，前記操作ノブ２８の回転が阻止され，且つ，駆動モータＭ１，Ｍ２の負荷を軽減できる。
一方，駆動モータＭ１，Ｍ２が停止している状態では前記のように，前記上流側駆動ローラ軸１８ａ１又は前記下流側駆動ローラ軸１９ａ１と同軸上に取り付けられた前記操作ノブ２８を，前記シートの搬送方向下流方向へ回転させた際に，前記上流側駆動ローラ軸１８ａ１及び前記下流側駆動ローラ軸１９ａ１が，前記プーリー２４，２５に架け渡された前記プーリーベルト２６によって同時に回転するので，前記シート搬送装置Ｘ１で生じたジャムを除去できる。
以上により，少なくとも，前記上流側駆動ローラ軸１８ａ１又は前記下流側駆動ローラ軸１９ａ１と同軸上に取り付けられた操作ノブ２８を回転させれば，前記上流側駆動ローラ軸１８ａ１又は前記下流側駆動ローラ軸１９ａ１が回転するので，前記上流側駆動ローラ軸１８ａ１又は前記下流側駆動ローラ軸１９ａ１と同軸上に取り付けられた操作ノブ２８を具備するという簡易な構成でジャム処理機構が実現でき，シート搬送装置Ｘ１の小型化を図ることができる。
［第２の実施形態］
次に，前記シート搬送装置Ｘ１−２を図３に基づいて説明する。ここに，図３（ａ）はシート搬送装置Ｘ１−２の従動ローラ１８ｂ，１９ｂを省略した概略平面図，図３（ｂ）は図３（ａ）における操作ノブ２８（本発明における手動操作手段の一例）を省略した概略側面図である。
なお，図２に示したシート搬送装置Ｘ１−１と同一部材については同一符号を付して説明を省略する。
前記シート搬送装置Ｘ１−２では，通常のシート搬送の際（ジャム処理以外の際）には，駆動ローラ１８ａの上流側駆動ローラ軸１８ａ１に摺動自在に取り付けられた操作ノブ２８が，バネ３３（本発明におけるスライド機構の一例）などの弾性体により，前記側面２７に対して垂直方向且つ側面２７から遠ざかる方向に常時付勢を受けている。
そのため，通常のシート搬送の際には，操作ノブ２８と一体となった歯車２９が遊び歯車３１と噛み合っていない状態となる（図２の実線にて表示）。
このような構成において，通常のシート搬送の際には，前記駆動モータＭ１の駆動により前記上流側駆動ローラ軸１８ａ１が回転するとともに前記駆動モータＭ２の駆動により前記下流側駆動ローラ軸１９ａ１が回転する。
このような駆動モータＭ１，Ｍ２により前記上流側駆動ローラ軸１８ａ１及び前記下流側駆動ローラ軸１９ａ１が回転した状態でも，通常のシート搬送の際には，図２の実線にて表示したように，操作ノブ２８と一体となった歯車２９が遊び歯車３１と噛み合っていない状態となっているので，前記上流側駆動ローラ軸１８ａ１の回転により前記操作ノブ２８が回転しても，その回転が，操作ノブ２８が取り付けられていない下流側駆動ローラ軸１９ａ１に伝達されない
したがって，前記シート搬送装置Ｘ１−１のような，前記下流側駆動ローラ軸１９ａ１とプーリー２５との間に設けられたワンウェイクラッチ２３が不要であり，コストダウンが図れ，且つ，駆動モータＭ１の負荷を軽減できる。
一方，ジャム処理の際には，駆動モータＭ１，Ｍ２が停止した状態で操作ノブ２８を側板２７方向に押し込めば，操作ノブ２８と一体となった歯車２９が前記バネ３３の付勢に反して側板２７方向に移動して，遊び歯車３１と噛み合う（図３の破線で表示）。
この状態で操作ノブ２８を，該操作ノブの平面視における下流側方向（図３では反時計回り方向）に回転した際には，それにつれて前記歯車２９が同方向に回転する。そして，前記遊び歯車３１は，該遊び歯車３１の平面視における上流側方向（図３では時計回り方向）に回転して前記歯車２９の回転を前記歯車３０に伝達するので，前記歯車３０が前記歯車２９とともに，前記歯車２９，３０の平面視における下流側方向（図３では反時計回り方向）に回転する。
これにより，前記操作ノブ２８を，前記操作ノブ２８の平面視における前記下流側方向に回転させた際に，前記搬送ローラ対１８と前記レジストローラ対１９とが，前記搬送ローラ対１８と前記レジストローラ対１９との平面視における前記下流側方向に回転する。
逆に，前記操作ノブ２８を側板２７方向に押し込んだ状態で前記搬送方向とは逆方向へ回転させた際には，前記操作ノブ２８はワンウェイクラッチ２２により空転するが，前記操作ノブ２８の回転が前記遊び歯車３１，前記歯車３０を通じて前記下流側駆動ローラ軸１９ａ１に伝達されるので，前記下流側駆動ローラ軸１９ａ１のみを搬送方向とは逆方向に回転させることができる。
したがって，本実施形態では，本発明における逆回転機構が，前記ワンウェイクラッチ２２，歯車３０，遊び歯車３１で具現化される。
そのため，前記搬送ローラ対１８と前記レジストローラ対１９との間で，シートに撓みを生じさせて摘み部分を形成することができ，その摘み部分を摘まんで該シートを容易に除去できる。
【００１７】
［第３の実施形態］
次に，シート搬送装置Ｘ１−３を図４に基づいて説明する。ここに，図４（ａ）は，転写ベルト回転ローラ１７の周辺部材を含み，前記従動ローラ１８ｂ，１９ｂを省略したシート搬送装置Ｘ１−３の概略平面図，図４（ｂ）は図４（ａ）におけるシート搬送装置Ｘ１−３の概略側面図である。
なお，前記シート搬送装置Ｘ１−１及び前記シート搬送装置Ｘ１−２と同一部材については同一符号を付して説明を省略する。
シート搬送装置Ｘ１−３では，下流側駆動ローラ軸１９ａ１と同軸上には操作ノブ２８（本発明における手動操作手段の一例）が摺動可能に取り付けられており，該操作ノブ２８は，下流側駆動ローラ軸１９ａ１よりも下流側において前記感光ドラム１０と前記転写ベルト回転ローラ１７，１７とが当接している際には，バネ３３などの弾性体により側面２７に対する常時付勢を受けて保護カバー３８内に収容されている。この状態では，前記操作ノブ２８が前記駆動ローラ１９ａ及び遊び歯車４１との接続が遮断された状態となっている。
また，上流側駆動ローラ軸１８ａ１と同軸上には，前記ワンウェイクラッチ２２を介在させて歯車３９が取り付けられている。
更に，前記下流側駆動ローラ軸１９ａ１よりも前記下流側方向では，操作ノブ押し出しレバー３５が具備されている。
該操作ノブ押し出しレバー３５を，該操作ノブ押し出しレバー３５の平面視における前記下流側方向（図４では反時計回り方向）に回転させると，その回転に伴って前記カム３４が同方向へ回転し，これにより前記カム３４上に載った転写ベルト回転ローラ１７，１７の軸が落下する。
そして，前記操作ノブ押し出しレバー３５を一点鎖線で示す想像図の位置に到達させると，前記感光ドラム１０と前記転写ベルト回転ローラ１７，１７とが離間する。
また，該操作ノブ押し出しレバー３５を前記下流側方向に回転させると，その回転に伴って歯車３６が同方向に回転し，そして後述するスライド機構により操作ノブ２８がバネ３３の付勢に反して前記下流側駆動ローラ軸１９ａ１の軸方向に移動して，前記保護カバー３８より飛び出す。
その際，前記操作ノブ２８が，前記下流側駆動ローラ軸１９ａ１及び前記歯車３９と結合する（図４（ａ）の２点鎖線で示す）。
前記シート搬送装置Ｘ１−３では，前記通常のシート搬送の際には，前記駆動モータＭ１が駆動して前記上流側駆動ローラ軸１８ａ１を回転させるとともに前記駆動モータＭ２が駆動して前記下流側駆動ローラ軸１９ａ１を回転させる。その際，前記操作ノブ２８は，前記下流側駆動ローラ軸１９ａ１との接続が遮断されているので空転し，前記歯車３９は前記上流側駆動ローラ軸１８ａ１との間で前記ワンウェイクラッチ２２が介在しているので空転する。そのため，駆動モータＭ１，Ｍ２の負担を軽減できる。
一方，ジャム処理の際には，駆動モータＭ１，Ｍ２が停止した状態で，前記したように，操作ノブ押し出しレバー３５を，一点鎖線で示す想像線で示す位置まで回転させて，前記感光ドラム１０と前記転写ベルト回転ローラ１７，１７とを離間させるとともに，前記操作ノブ２８と前記下流側駆動ローラ軸１９ａ１及び前記歯車３９とを噛み合わせる。
【００１８】
逆に，操作ノブ押し出しレバー３５を，実線で示す元の位置まで回転させた際には，それに連動してカム３４が，該カム３４の平面視における上流側方向（図４では時計回り方向）に回転し，その回転により転写ベルト回転ローラ１７，１７が感光ドラム１０に当接する方向に移動する。
また，歯車３６がカム３４の回転により，前記歯車３６の平面視における上流側方向に回転し，これにより，操作ノブ押し出し歯車４０が，該操作ノブ押し出し歯車４０の平面視における上流側方向に回転して，前記操作ノブ２８が実線で示す元の位置に戻る。
したがって，本実施形態におけるシート搬送装置Ｘ１では，本発明における接離手段が，前記カム３４と前記操作ノブ押し出しレバー３５とを備えて具現化されるとともに，本発明におけるスライド機構が，後述する構成により具現化されており，前記接離手段と前記スライド機構とが協働して，前記した作用を実現している。
【００１９】
ここに，前記下流側駆動ローラ軸１９ａ１と前記操作ノブ２８は，これらを結合させるために以下の構成とされている。
前記操作ノブ２８は，前記下流側駆動ローラ軸１９ａ１に貫入され，前記側板２７と対向する面とは逆方向（図４では下方向）の面に複数の爪が形成された噛合面２８ｂを有する歯車部２８ａと，摘み部２８ｃと，を備えて概略構成される。また，前記下流側駆動ローラ軸１９ａ１の先端部には，周縁部に複数の爪が形成された噛合先端部１９ａ２が，前記噛合面２８ｂと対向して固着されている。
本実施形態におけるシート搬送装置Ｘ１では，このような前記下流側駆動ローラ軸１９ａ１及び前記操作ノブ２８の構成により，前記下流側駆動ローラ軸１９ａ１の噛合先端部１９ａ２と，前記操作ノブ２８の噛合面２８ｂとが噛み合って，前記操作ノブ２８の回転が前記下流側駆動ローラ軸１９ａ１に伝達される。
前記操作ノブ２８が前記下流側駆動ローラ軸１９ａ１及び前記歯車３９と結合した状態では，前記操作ノブ２８が，前記操作ノブ２８の平面視における前記下流側方向（図４（ｂ）では反時計回り方向）に回転された際に，その回転が前記下流側駆動ローラ軸１９ａ１に伝達され，前記下流側駆動ローラ軸１９ａ１が，前記下流側駆動ローラ軸１９ａ１の平面視における前記下流側方向（図４では反時計回り方向）に回転する。
これと同時に，前記操作ノブ２８の回転が前記遊び歯車４１にも伝達され，前記遊び歯車４１の回転が前記歯車３９に伝達されて，前記歯車３９が，前記歯車３９の平面視における前記下流側方向（図４（ｂ）では反時計回り方向）に回転する。
そのため，前記操作ノブ２８を，前記操作ノブ２８の平面視における前記下流側方向（図４では反時計回り方向）に回転させた際に，前記搬送ローラ対１８と前記レジストローラ対１９とが，これらの平面視における前記下流側方向（図４では反時計回り方向）に回転する。
【００２０】
一方，前記操作ノブ２８と前記下流側駆動ローラ軸１９ａ１及び前記歯車３９とが結合している状態で，前記操作ノブ２８を逆方向（つまり，前記操作ノブ２８の平面視における前記上流側方向）に回転させた際には，その回転は，前記下流側駆動ローラ軸１９ａ１と前記歯車３９とには伝達されるが，前記ワンウェイクラッチ２２の機能により前記上流側駆動ローラ軸１８ａ１には伝達されない。
したがって，本実施形態のシート搬送装置Ｘ１では，前記逆回転機構が，前記ワンウェイクラッチ２２，前記噛合先端部１９ａ２，前記噛合面２８ｂを備えて概略構成される。
そのため，前記操作ノブ２８を逆回転させて，前記下流側駆動ローラ軸１９ａ１のみを，その平面視における前記上流側方向に回転させて，前記搬送ローラ対１８と前記レジストローラ対１９との間で該シートに撓みを生じさせて該シートを除去できる。
【００２１】
ここで，前記スライド機構は，前記側板２７に設けられ，後述する突起部４０ｄに対応した大きさ，形状とされた突起部貫入孔２７ａ４，前記バネ３３，前記歯車３６，前記遊び歯車３７，前記操作ノブ押し出し歯車４０を備えて具現化される。
操作ノブ押し出し歯車４０は，該操作ノブ押し出し歯車４０の周壁部に形成された歯車部４０ａ，下流側駆動ローラ軸１９ａ１の径に対応した径の貫入孔４０ｂ，該貫入孔４０ｂの外周を覆い側面部４０ｅに対して垂直方向に起立している起立壁４０ｃ，前記突起部４０ｄを備えて概略構成される。
また，前記起立壁４０ｃは，図示した側面部４０ｅだけでなく，その裏面となる側面部４０ｅにも備えられており，一方の側面部４０ｅ側の起立壁４０ｃの端面が側板２７に当接し，他方の側面部４０ｅ側の起立壁４０ｃの端面が後述する操作ノブ２８に当接する。
そして，前記突起部４０ｄが，側面部４０ｅの円周方向に対して平行に設けられており，一端（前記突起部４０ｄの平面視における上流側の端部）から他端（前記突起部４０ｄの平面視における下流側の端部）にかけて，側面部４０ｅに対して垂直方向に高くなる傾斜部４０ｄ１が設けられている。
【００２２】
そして，前記突起部４０ｄが前記突起部貫入孔２７ａ４に貫入されており，前記操作ノブ押し出し歯車４０が，その平面視における前記下流側方向に回転した際に，それにつれて，矢印Ａ方向に回転する。
すると，傾斜部４０ｄ１も前記突起部貫入孔２７ａ４の内周壁面に当接しながら矢印Ａ方向に移動して，その結果，前記突起部貫入孔２７ａ４から抜け出て側板２７の側面に乗り上がる。これにより，操作ノブ２８を後述するバネ３３の付勢に逆らって押し出す。
逆に，前記操作ノブ押し出し歯車４０が，その平面視における前記上流側方向に回転した際には，前記突起部４０ｄが，傾斜部４０ｄ１が矢印Ａとは逆方向に移動するので，前記突起部貫入孔２７ａ４に貫入する。
このようなスライド機構が前記接離手段と協働して，前記したような作用をなすため，通常のシート搬送の際には，前記操作ノブ２８が保護カバー３８の内部に収容された状態とされ，ジャム処理の際のみ，操作ノブ２８が保護カバー３８内部から押し出されて使用可能となり，これにより，シート搬送装置Ｘ１をコンパクトなサイズにできる。
また，前記接離手段により前記感光ドラム１０から前記転写ベルト回転ローラ１７，１７を離間させた際に操作ノブ２８を使用したジャム処理が可能となるため，ジャムが生じたシートの下流側先端部が転写ニップ部に当たり，前記感光ドラム１０や前記転写ベルト１６を損傷することを防止できる。
【図面の簡単な説明】
【００２３】
【図１】本発明の実施の形態に係るシート搬送装置Ｘ１を含んだ画像形成部Ｘの主要部を示す断面図。
【図２】第１の実施形態におけるシート搬送装置Ｘ１−１の従動ローラ１８ｂ，１９ｂを省略した概略平面図と，図２（ａ）における操作ノブ２８（手動操作手段の一例）を省略した概略側面図。
【図３】第２の実施形態におけるシート搬送装置Ｘ１−２の従動ローラ１８ｂ，１９ｂを省略した概略平面図と，図３（ａ）における操作ノブ２８（手動操作手段の一例）を省略した概略側面図。
【図４】転写ベルト回転ローラ１７の周辺部材を含み，前記従動ローラ１８ｂ，１９ｂを省略したシート搬送装置Ｘ１−３の概略平面図と，図４（ａ）における概略側面図。
【符号の説明】
【００２４】
Ｘ１，Ｘ１−１，Ｘ１−２，Ｘ１−３…シート搬送装置
１０…感光ドラム（像担持体の一例）
１６…転写ベルト（被転写体の一例）
１７…転写ベルト回転ローラ（転写手段の一例）
１８…搬送ローラ対（上流側搬送ローラの一例）
１８ａ１…上流側駆動ローラ軸（上流側搬送ローラ軸の一例）
１９…レジストローラ対（下流側搬送ローラの一例）
１９ａ１…下流側駆動ローラ軸（下流側搬送ローラ軸の一例）
１９ａ２…噛合先端部
２２…ワンウェイクラッチ
２４，２５…プーリー
２６…ベルト
２７ａ４…突起部貫入孔
２８…操作ノブ（手動操作手段の一例）
２８ａ…歯車部
２８ｂ…噛合部
２９，３０，３６，３９…歯車
３１，３７，４１…遊び歯車
３４…カム
３５…操作ノブ押し出しレバー
４０…操作ノブ押し出し歯車
【図１】
0004990111.tif 000002
【図２】
0004990111.tif 000003
【図３】
0004990111.tif 000004
【図４】
0004990111.tif 000005